(57)【要約】【課題】  衣服のポケットに装着したまま、当該ポケットに収納される小物に取り付けられた紐状部材（ストラップ）を簡単に把持し、解放することができる、操作性に優れた小物落下防止用クリップを提供する。【解決手段】  小物落下防止用クリップ１は、一対の挟持部２ａ、２ｂを有し、衣服の胸ポケットの布地を、当該胸ポケットの内側と外側から挟持するクリップ本体２と、前記胸ポケットの外側に位置される挟持部２ａの外面に開閉可能に設けられ、前記胸ポケットに収納される携帯電話に取り付けられた携帯ストラップを把持する把持部４と、前記胸ポケットの外側に位置される挟持部２ａと把持部４とに対向して設けられ、把持部４を閉めた状態に保持する係止手段（面ファスナー）５と、を備える。【選択図】  図１
0003184085.tif 000002
【実用新案登録請求の範囲】
【請求項１】
一対の挟持部を有し、衣服のポケットの布地を、前記ポケットの内側と外側から挟持するクリップ本体と、
前記ポケットの外側に位置される前記挟持部の外面に開閉可能に設けられ、前記ポケットに収納される小物に取り付けられた紐状部材を把持する把持部と、
前記ポケットの外側に位置される前記挟持部と前記把持部とに対向して設けられ、前記把持部を閉めた状態に保持する係止手段と、を備えた小物落下防止用クリップ。
【請求項２】
前記ポケットの外側に位置される前記挟持部の内面に、前記ポケットの布地との間に摩擦を生じさせる摩擦部材が固着された、請求項１に記載の小物落下防止用クリップ。
【請求項３】
前記把持部の上端が、前記ポケットの外側に位置される前記挟持部に回動可能に取り付けられた、請求項１又は２に記載の小物落下防止用クリップ。
【請求項４】
前記係止手段は、面ファスナーである、請求項１〜３のいずれか１項に記載の小物落下防止用クリップ。
【考案の詳細な説明】
【技術分野】
【０００１】
本考案は、例えば、携帯電話、携帯音楽プレーヤー、財布等の小物が衣服のポケットから落下することを防止するために用いられる小物落下防止用クリップに関する。
【背景技術】
【０００２】
従来、かがんだとき等に携帯電話が衣服の胸ポケットから落下して紛失してしまうことを防止するために、携帯電話のストラップ取付孔に、先端部にクリップを有するコードの基端部を取り付け、前記クリップで胸ポケットの布地を挟持するようにしたものが知られている。そして、これによれば、万一胸ポケットから携帯電話が落下しても、コードによって宙吊り状態となり、携帯電話の紛失を防止することができる。
【０００３】
しかし、上記構成のものでは、コードを胸ポケットから垂らしておくと、諸動作の邪魔になるという不具合があった。一方、コードを一纏めにして胸ポケット内に収容しておくと、着信時に当該コードが邪魔になって携帯電話を胸ポケットから素早く取り出すことができないという不具合があった。
【０００４】
そこで、このような不具合を解消するために、以下のような構成の携帯電話落下防止用クリップが提案されている（例えば、特許文献１参照）。
【０００５】
特許文献１に開示された携帯電話落下防止用クリップは、衣服のポケットの布地を挟み込む第１のクリップと、前記第１のクリップの裏面に設けられ、携帯電話に取り付けられた携帯ストラップを掛ける第２のクリップとにより構成されている。そして、携帯電話をポケットに収納する場合には、ポケット内に位置する第２のクリップに携帯ストラップを掛け、携帯電話を使用する場合には、第２のクリップから携帯ストラップを外すようにされている。
【先行技術文献】
【特許文献】
【０００６】
【特許文献１】特開２００７−３１８７００号公報
【考案の概要】
【考案が解決しようとする課題】
【０００７】
しかし、特許文献１で提案されている携帯電話落下防止用クリップでは、当該携帯電話落下防止用クリップを衣服のポケットに装着した場合に、携帯ストラップを掛ける第２のクリップがポケット内に位置することとなるため、当該携帯電話落下防止用クリップを衣服のポケットに装着した状態で、携帯ストラップを第２のクリップに掛けたり、第２のクリップから外したりすることは困難である。従って、携帯電話のストラップを第２のクリップに掛けたり、第２のクリップから外したりする場合には、その都度、当該携帯電話落下防止用クリップを衣服のポケットから取り外す必要があり、操作性の点で問題がある。
【０００８】
本考案は、従来技術における前記課題を解決するためになされたものであり、衣服のポケットに装着したまま、当該ポケットに収納される小物に取り付けられた紐状部材（ストラップ）を簡単に把持し、解放することができる、操作性に優れた小物落下防止用クリップを提供することを目的とする。
【課題を解決するための手段】
【０００９】
前記目的を達成するため、本考案に係る小物落下防止用クリップの構成は、
（１）一対の挟持部を有し、衣服のポケットの布地を、前記ポケットの内側と外側から挟持するクリップ本体と、前記ポケットの外側に位置される前記挟持部の外面に開閉可能に設けられ、前記ポケットに収納される小物に取り付けられた紐状部材を把持する把持部と、前記ポケットの外側に位置される前記挟持部と前記把持部とに対向して設けられ、前記把持部を閉めた状態に保持する係止手段と、を備えたことを特徴とする。
【００１０】
本考案において、「小物」とは、例えば、携帯電話、携帯音楽プレーヤー、財布等を指し、当該小物は、紐状部材が取り付けられていればよい。「紐状部材」とは、例えば、携帯電話に取り付けられる携帯ストラップ等である。
【００１１】
本考案の小物落下防止用クリップの（１）の構成によれば、ポケットの外側に位置される挟持部の外面に開閉可能に設けられ、前記ポケットに収納される小物に取り付けられた紐状部材を把持する把持部を備えていることにより、クリップ本体を前記ポケットの布地に挟持させたまま、前記ポケットの外側で、前記紐状部材を把持し、解放することが可能となる。従って、本考案によれば、衣服のポケットに装着したまま、当該ポケットに収納される小物に取り付けられた紐状部材（ストラップ）を簡単に把持し、解放することができる、操作性に優れた小物落下防止用クリップを提供することができる。
【００１２】
前記本考案の小物落下防止用クリップの（１）の構成においては、以下の（２）〜（８）のような構成にすることが好ましい。
【００１３】
（２）前記クリップ本体は、略Ｕ字状に折り曲げ成形され、前記ポケットの布地を挟持する向きに弾性付勢された板状部材からなる。
【００１４】
（３）上記（２）において、前記クリップ本体の折り曲げ部近傍の対向面間に、前記一対の挟持部の開きを抑えるための補強杆が渡架されている。
【００１５】
上記（３）の好ましい構成によれば、一対の挟持部による挟持力を長持ちさせることが可能となる。
【００１６】
（４）前記ポケットの外側に位置される前記挟持部の内面に、前記ポケットの布地との間に摩擦を生じさせる摩擦部材が固着されている。
【００１７】
上記（４）の好ましい構成によれば、すべすべした感じのポケットに装着して使用する場合であっても、かがんだとき等に小物落下防止用クリップ自体が前記ポケットから落下してしまうことはない。その結果、小物が当該小物落下防止用クリップと共にポケットから落下して紛失してしまうことを防止することができる。尚、このように、摩擦部材を、ポケットの外側に位置される挟持部（第１の挟持部）の内面に固着させれば、前記ポケットの内側に位置される挟持部（第２の挟持部）を前記ポケットの布地の内側に入れ、前記第１の挟持部を、前記ポケットから離間する方向へ引っ張ることにより、前記摩擦部材を前記ポケットの布地から離すことができるので、当該摩擦部材が、小物落下防止用クリップの前記ポケットへの装着、及び、小物落下防止用クリップの前記ポケットからの取外しの妨げとなることはない。
【００１８】
（５）前記把持部は、フラットな板状部材からなる。
【００１９】
（６）前記把持部の上端が、前記ポケットの外側に位置される前記挟持部に回動可能に取り付けられている。
【００２０】
上記（６）の好ましい構成によれば、クリップ本体を、ポケットの布地に挟持させた状態で、把持部の下端を、前記ポケットから離間する方向へ引っ張ることにより、前記把持部を開き、小物に取り付けられた紐状部材を、その自重によって落下させて解放することができる。その結果、小物をポケットから素早く取り出すことが可能となる。
【００２１】
（７）前記係止手段は、面ファスナーである。
【００２２】
上記（７）の好ましい構成によれば、簡単な構成で把持部を閉めた状態に保持することが可能となる。
【００２３】
（８）上記（７）において、前記把持部の、前記クリップ本体と対向する側の面に、嵩上げ部材が固着されている。
【００２４】
ポケットの外側に位置される挟持部と把持部とに対向して係止手段が設けられると、クリップ本体と前記把持部との間に隙間が生じて、小物に取り付けられた紐状部材をしっかりと把持することができなくなる虞がある。このため、上記（８）のように、前記把持部の、前記クリップ本体と対向する側の面に、嵩上げ部材を固着することが好ましい。上記（８）の好ましい構成によれば、クリップ本体と把持部との間の隙間を小さくして、小物に取り付けられた紐状部材をしっかりと把持することが可能となる。
【考案の効果】
【００２５】
本考案によれば、衣服のポケットに装着したまま、当該ポケットに収納される小物に取り付けられた紐状部材（ストラップ）を簡単に把持し、解放することができる、操作性に優れた小物落下防止用クリップを提供することができる。
【図面の簡単な説明】
【００２６】
【図１】図１は、本考案の一実施の形態における小物落下防止用クリップの、把持部材を開いた状態の構成を示す斜視図である。
【図２】図２は、本考案の一実施の形態における小物落下防止用クリップの、把持部材を開いた状態の構成を示す側面図である。
【図３】図３は、本考案の一実施の形態における小物落下防止用クリップの、把持部材を閉めた状態の構成を示す斜視図である。
【図４】図４は、本考案の一実施の形態における小物落下防止用クリップの、把持部材を閉めた状態の構成を示す側面図である。
【図５】図５は、本考案の一実施の形態における小物落下防止用クリップを、衣服の胸ポケットに装着し、衣服の胸ポケットから取り外すときの状態を示す側面図である。
【図６】図６は、本考案の一実施の形態における小物落下防止用クリップの使用状態を示す斜視図である。
【図７】図７は、本考案の一実施の形態における小物落下防止用クリップの、把持部材を開いた状態の他の構成を示す側面図である。
【考案を実施するための形態】
【００２７】
以下、好適な実施の形態を用いて本考案をさらに具体的に説明する。但し、下記の実施の形態は本考案を具現化した例に過ぎず、本考案はこれに限定されるものではない。
【００２８】
［小物落下防止用クリップの構成］
まず、本考案の一実施の形態における小物落下防止用クリップの構成について、図１〜図４を参照しながら説明する。
【００２９】
図１は、本考案の一実施の形態における小物落下防止用クリップの、把持部材を開いた状態の構成を示す斜視図、図２は、当該小物落下防止用クリップの、把持部材を開いた状態の構成を示す側面図、図３は、当該小物落下防止用クリップの、把持部材を閉めた状態の構成を示す斜視図、図４は、当該小物落下防止用クリップの、把持部材を閉めた状態の構成を示す側面図である。
【００３０】
図１〜図４に示すように、本実施の形態の小物落下防止用クリップ（以下、単に「クリップ」ともいう）１は、一対の挟持部２ａ、２ｂを有し、衣服の胸ポケットの布地を、前記胸ポケットの内側と外側から挟持するクリップ本体２と、前記胸ポケットの外側に位置される挟持部２ａの外面に、ヒンジ３を介して開閉可能に設けられ、前記胸ポケットに収納される携帯電話９に取り付けられた携帯ストラップ１０（図６参照）を把持する把持部４と、前記胸ポケットの外側に位置される挟持部２ａと把持部４とに対向して設けられ、把持部４を閉めた状態に保持する係止手段５と、を備えている。
【００３１】
本実施の形態のクリップ１は、上記のように、前記胸ポケットの外側に位置される挟持部２ａの外面に開閉可能に設けられ、前記胸ポケットに収納される携帯電話９に取り付けられた携帯ストラップ１０を把持する把持部４を備えている。すなわち、本実施の形態のクリップ１は、携帯電話９に取り付けられた携帯ストラップ１０を把持する把持部４が胸ポケットの外側に位置されるように構成されている。従って、本実施の形態のクリップ１によれば、クリップ本体２を、胸ポケットの布地に挟持させたまま、前記胸ポケットの外側で、携帯ストラップ１０を把持し、解放することが可能となる。すなわち、本実施の形態によれば、衣服の胸ポケットに装着したまま、当該胸ポケットに収納される携帯電話９に取り付けられた携帯ストラップ１０を簡単に把持し、解放することができる、操作性に優れた小物落下防止用クリップ１を提供することができる。
【００３２】
クリップ本体２は、略Ｕ字状に折り曲げ成形され、胸ポケットの布地を挟持する向きに弾性付勢された板状部材からなっている。折り曲げ部を挟んだ両側部分が、挟持部２ａ、２ｂである。そして、クリップ本体２の折り曲げ部近傍の対向面間には、一対の挟持部２ａ、２ｂの開きを抑えるための補強杆６が渡架されている。尚、補強杆６は、クリップ本体２を構成する板状部材に穿孔した貫通孔に嵌合させた状態で渡架されている。かかる構成によれば、一対の挟持部２ａ、２ｂによる挟持力を長持ちさせることが可能となる。
【００３３】
クリップ本体２を構成する板状部材の材料としては、樹脂、金属、合金、竹等の任意の材料を用いることができる。特に、ポリ塩化ビニル板（塩ビ板）は、熱湯で容易に曲げ加工ができるため好ましい。本実施の形態においては、長さ約１５０ｍｍ、幅約１８ｍｍ、厚み約２ｍｍの塩ビ板を用いた。また、補強杆６の材料としても、樹脂、金属、合金、竹等の任意の材料を用いることができる。本実施の形態においては、長さ約１３ｍｍ、直径約３ｍｍの竹製の棒体を用いた。
【００３４】
胸ポケットの外側に位置される挟持部２ａの内面には、前記胸ポケットの布地との間に摩擦を生じさせる摩擦部材７が固着されている。かかる構成によれば、すべすべした感じの胸ポケットの布地に装着して使用する場合であっても、かがんだとき等にクリップ１自体が前記胸ポケットから落下してしまうことはない。その結果、携帯電話９がクリップ１と共に胸ポケットから落下して紛失してしまうことを防止することができる。尚、このように、摩擦部材７を、胸ポケットの外側に位置される挟持部２ａの内面に固着させれば、胸ポケットの内側に位置される挟持部２ｂを前記胸ポケットの布地の内側に入れ、挟持部２ａを、前記胸ポケットから離間する方向へ引っ張ることにより（図５の矢印Ｂ参照）、摩擦部材７を前記胸ポケットの布地から離すことができるので、当該摩擦部材７が、クリップ１の前記胸ポケットへの装着、及び、クリップ１の前記胸ポケットからの取外しの妨げとなることはない。
【００３５】
摩擦部材７の材料としては、天然ゴム、合成ゴム、樹脂等の任意の材料を用いることができる。本実施の形態においては、摩擦部材７として、長さ約３３ｍｍ、幅約１８ｍｍ、厚み約４ｍｍの天然ゴム製の部材を用いた。
【００３６】
把持部４は、フラットな板状部材からなっている。そして、当該把持部４の上端が、胸ポケットの外側に位置される挟持部２ａに、真鍮製のヒンジ３を介して回動可能に取り付けられている。かかる構成によれば、クリップ本体２を、胸ポケットの布地に挟持させた状態で、把持部４の下端を、前記胸ポケットから離間する方向へ引っ張ることにより（図４の矢印Ａ参照）、把持部４を開き（図２参照）、携帯電話９に取り付けられた携帯ストラップ１０（図６参照）を、その自重によって落下させて解放することができる。その結果、着信時に携帯電話９を胸ポケットから素早く取り出すことが可能となる。尚、図示していないが、ヒンジ３は、挟持部２ａと把持部４にビス止めされている。
【００３７】
把持部４を構成する板状部材の材料としては、クリップ本体２を構成する板状部材と同様に、樹脂、金属、合金、竹等の任意の材料を用いることができる。本実施の形態においては、長さ約５０ｍｍ、幅約１８ｍｍ、厚み約２ｍｍのポリ塩化ビニル板（塩ビ板）を用いた。
【００３８】
本実施の形態においては、係止手段５として面ファスナーが用いられている。胸ポケットの外側に位置される挟持部２ａには、面ファスナーのメス材（ループテープ）５ａが固着されている。また、把持部４の下端には、面ファスナーのオス材（フックテープ）５ｂが固着されている。かかる構成によれば、簡単な構成で把持部４を閉めた状態に保持することが可能となる。
【００３９】
胸ポケットの外側に位置される挟持部２ａと把持部４とに対向して係止手段５が設けられると、クリップ本体２と把持部４との間に隙間が生じて、携帯電話９に取り付けられた携帯ストラップ１０（図６参照）をしっかりと把持することができなくなる虞がある。このため、本実施の形態のクリップ１においては、把持部４の、クリップ本体２と対向する側の面に、嵩上げ部材８が固着されている。かかる構成によれば、クリップ本体２と把持部４との間の隙間を小さくして、携帯電話９に取り付けられた携帯ストラップ１０をしっかりと把持することが可能となる。
【００４０】
嵩上げ部材８の材料としては、天然ゴム、合成ゴム、ポリウレタン、スポンジ、綿等の任意の材料を用いることができる。本実施の形態においては、長さ約３２ｍｍ、幅約１８ｍｍ、厚み約１ｍｍのコットンシールを用いた。
【００４１】
［小物落下防止用クリップの使用方法］
次に、本考案の一実施の形態における小物落下防止用クリップの使用方法について、図５、図６をも参照しながら説明する。
【００４２】
図５は、本考案の一実施の形態における小物落下防止用クリップを、衣服の胸ポケットに装着し、衣服の胸ポケットから取り外すときの状態を示す側面図、図６は、当該小物落下防止用クリップの使用状態を示す斜視図である。
【００４３】
図６に示すように、クリップ１は、クリップ本体２の一対の挟持部２ａ、２ｂによって胸ポケットの布地を、当該胸ポケットの内側と外側から挟持することにより、前記胸ポケットに装着される。ここで、挟持部２ａが前記胸ポケットの布地の外側に位置し、挟持部２ｂが前記胸ポケットの布地の内側に位置する。クリップ１の胸ポケットへの装着は、図５に示すように、クリップ本体２の挟持部２ｂを前記胸ポケットの布地の内側に入れ、もう一方の挟持部２ａを、前記胸ポケットから離間する方向へ引っ張ることにより（図５の矢印Ｂ参照）、摩擦部材７を挟持部２ｂから離間させ、挟持部２ｂをそのまま前記胸ポケットの布地に沿って滑らせることによって行われる（図５の両矢印Ｃ参照）。そして、挟持部２ａの引っ張りを解除すれば、摩擦部材７が胸ポケットの布地の外表面に圧接され、クリップ１がしっかりと前記胸ポケットの布地に固定される。
【００４４】
クリップ１を胸ポケットに装着したら、携帯電話９を前記胸ポケットに収納する。次いで、図４に示すように、把持部４の下端を、前記胸ポケットから離間する方向へ引っ張ることにより（図４の矢印Ａ参照）、係止手段（面ファスナー）５による係止状態を解除して把持部４を開く（図２参照）。そして、前記胸ポケットの外側に位置する挟持部２ａと把持部４との間に、携帯電話９に取り付けられた携帯ストラップ１０を位置決めして、把持部４を閉める。把持部４を閉めると、係止手段（面ファスナー）５によって把持部４が閉めた状態に保持され、携帯電話９に取り付けられた携帯ストラップ１０が、前記胸ポケットの布地に固定されたクリップ１と一体になる。これにより、かがんだとき等に携帯電話９が胸ポケットから落下して紛失してしまうことを防止することができる。
【００４５】
着信時には、図４に示すように、クリップ本体２を、胸ポケットの布地に挟持させた状態で、把持部４の下端を、前記胸ポケットから離間する方向へ引っ張る（図４の矢印Ａ参照）。これにより、係止手段（面ファスナー）５による係止状態を解除して把持部４を開き（図２参照）、携帯電話９に取り付けられた携帯ストラップ１０（図６参照）を、その自重によって落下させて解放することができる。その結果、携帯電話９を前記胸ポケットから素早く取り出すことができる。
【００４６】
尚、上記実施の形態においては、クリップ本体２が、略Ｕ字状に折り曲げ成形され、胸ポケットの布地を挟持する向きに弾性付勢された板状部材からなる場合を例に挙げて説明したが、本考案は必ずしもこのような構成に限定されるものではない。クリップ本体は、一対の挟持部を有し、衣服の胸ポケットの布地を、前記胸ポケットの内側と外側から挟持する構成のものであればよい。また、上記の例の場合に、クリップ本体２の折り曲げ部近傍の対向面間に、一対の挟持部２ａ、２ｂの開きを抑えるための補強杆６が渡架されている場合を例に挙げて説明したが、本考案は必ずしもこのような構成に限定されるものではない。何らかの手段によって一対の挟持部２ａ、２ｂの開きが抑えられていればよい。また、クリップ本体の形状、材質等を適切に選ぶことによっても、一対の挟持部の開きを抑えることが可能となる。
【００４７】
また、上記実施の形態においては、胸ポケットの外側に位置される挟持部２ａの内面に、前記胸ポケットの布地との間に摩擦を生じさせる摩擦部材７が固着されている場合を例に挙げて説明したが、本考案は必ずしもこのような構成に限定されるものではない。胸ポケットの布地の表面がざらついたタイプのものである場合には、必ずしも摩擦部材を設ける必要はない。また、胸ポケットの外側に位置される挟持部２ａの内面をざらざらの状態に加工して、前記胸ポケットの布地との間に摩擦を生じさせるようにしてもよい。
【００４８】
また、上記実施の形態においては、把持部４がフラットな板状部材からなる場合を例に挙げて説明したが、本考案は必ずしもこのような構成に限定されるものではない。胸ポケットの外側に位置される挟持部の外面に開閉可能に設けることができれば、把持部は、例えば、棒状部材等からなっていてもよい。
【００４９】
また、上記実施の形態においては、把持部４の上端が、胸ポケットの外側に位置される挟持部２ａに回動可能に取り付けられている場合を例に挙げて説明したが、本考案は必ずしもこのような構成に限定されるものではない。例えば、図７に示す小物落下防止用クリップ１１のように、把持部４の下端が、胸ポケットの外側に位置される挟持部２ａに回動可能に取り付けられていてもよい。かかる構成によれば、把持部４の上端を親指で胸ポケットから離間する方向へ押しやるだけで、係止手段（面ファスナー）５による係止状態を解除して把持部４を開くことができるので、操作性の点では良好となる。
【００５０】
また、上記実施の形態においては、把持部４を閉めた状態に保持する係止手段５が面ファスナーである場合を例に挙げて説明したが、本考案は必ずしもこのような構成に限定されるものではない。係止手段としては、例えば、ホック、マグネット等を用いてもよい。
【００５１】
また、上記実施の形態においては、把持部４の、クリップ本体２と対向する側の面に、嵩上げ部材８が固着されている場合を例に挙げて説明したが、本考案は必ずしもこのような構成に限定されるものではない。例えば、係止手段５が設けられる部位を除いた把持部４の、クリップ本体２と対向する側の面自体を凸状に加工してもよい。また、係止手段の高さが低いタイプのものである場合には、必ずしも嵩上げ部材を設ける必要はない。
【００５２】
また、上記実施の形態においては、携帯電話９の落下を防止する場合を例に挙げて説明したが、本考案の小物落下防止用クリップは、例えば、携帯音楽プレーヤー、財布等の落下を防止するために使用することもできる。財布等の落下を防止するために本考案の小物落下防止用クリップを使用する場合には、財布等に紐状部材（ストラップ）を取り付ければよい。
【００５３】
また、上記実施の形態においては、小物落下防止用クリップ１を衣服の胸ポケットに装着して使用する場合を例に挙げて説明したが、本考案の小物落下防止用クリップは、尻ポケットに装着して使用してもよい。革財布等は、通常、尻ポケットに収納されるからである。
【産業上の利用可能性】
【００５４】
本考案によれば、衣服のポケットに装着したまま、当該ポケットに収納される小物に取り付けられた紐状部材（ストラップ）を簡単に把持し、解放することができる、操作性に優れた小物落下防止用クリップを提供することができる。従って、本考案の小物落下防止用クリップは、かがんだとき等に携帯電話が胸ポケットから落下して紛失してしまうことを防止する携帯電話落下防止用クリップ等として有用である。
【符号の説明】
【００５５】
１、１１  小物落下防止用クリップ
２  クリップ本体
２ａ、２ｂ  挟持部
３  ヒンジ
４  把持部
５  係止手段
５ａ  面ファスナーのメス材（ループテープ）
５ｂ  面ファスナーのオス材（フックテープ）
６  補強杆
７  摩擦部材
８  嵩上げ部材
９  携帯電話
１０  携帯ストラップ
【図１】
0003184085.tif 000003
【図２】
0003184085.tif 000004
【図３】
0003184085.tif 000005
【図４】
0003184085.tif 000006
【図５】
0003184085.tif 000007
【図６】
0003184085.tif 000008
【図７】
0003184085.tif 000009